(57)【要約】      （修正有）【課題】発電機を一定方向のみに回転させることができる手動発電機を提供する。【解決手段】クラッチを有する手動発電機は、発電機１、回転ハンドル、ギアボックス上蓋３、ギアボックス下蓋４及び伝動ギア群を含む。伝動ギア群は、６段の変速ギア対５１及び発電機ギア５３を含む。変速ギア対５１と発電機ギア５３との中間には、クラッチギア５２が設けられる。クラッチギア５２の回転軸５２１は、ギアボックス上蓋３の上クラッチ溝とギアボックス下蓋４の下クラッチ溝４１との間にスライド可能に配置される。【選択図】図１
0003177125.tif 000002
【実用新案登録請求の範囲】
【請求項１】
発電機、回転ハンドル、ギアボックス上蓋、ギアボックス下蓋及び伝動ギア群を備えるクラッチを有する手動発電機であって、
前記伝動ギア群は、数段の変速ギア対及び発電機ギアを有し、前記変速ギア対と前記発電機ギアとの中間には、クラッチギアが設けられ、前記クラッチギアの回転軸は、前記ギアボックス上蓋の上クラッチ溝と前記ギアボックス下蓋の下クラッチ溝との間にスライド可能に配置され、前記上クラッチ溝及び前記下クラッチ溝は、構造が同一であり、対向配置され、前記上クラッチ溝及び下クラッチ溝の両端部は、何れも、円弧構造であり、前記円弧の半径は、前記回転軸の半径と等しく、前記変速ギア対の最終変速ギアと噛み合うと同時に、前記発電機ギアとも噛み合う状態における前記クラッチギアの中心部分の位置を前記上クラッチ溝及び前記下クラッチ溝の下端円弧中心とし、前記上クラッチ溝及び前記下クラッチ溝の上端円弧中心は、前記発電機ギアの中心を円心とし、前記発電機ギアの歯先円半径と前記クラッチギアの歯先円半径との和を半径とする円弧の外側に位置し、
前記クラッチギアの中心のスライド経路（即ち、前記上クラッチ溝及び前記下クラッチ溝の中心線）は、四辺形中に限定され、前記四辺形の四辺は、第１の円弧、第２の円弧、第３の円弧及び曲線部の４つの曲線によって形成され、前記第１の円弧は、前記最終変速ギアの中心を円心とし、前記最終変速ギアと前記クラッチギアとが噛み合わされた状態における前記最終変速ギアの中心から、前記クラッチギアの中心までの距離を半径とする曲線であり、前記第２の円弧は、前記発電機ギアの中心を円心とし、前記発電機ギアと前記クラッチギアとが噛み合わされた状態における前記発電機ギアの中心から、前記クラッチギアの中心までの距離を半径とする曲線であり、前記第３の円弧は、前記最終変速ギアの中心を円心とし、前記最終変速ギアと前記クラッチギアとが噛み合わされた状態における前記最終変速ギアの中心から、前記クラッチギアの中心までの距離に、歯の長さを加えた距離を半径とする曲線であり、前記曲線部は、前記ギアボックス上蓋又は前記ギアボックス下蓋の内側辺沿線から、所定の距離を隔てた曲線であり、前記所定の距離は、前記クラッチギアの歯先円半径と等しいことを特徴とするクラッチを有する手動発電機。
【請求項２】
前記上クラッチ溝及び前記下クラッチ溝の中心線は、前記最終変速ギアの中心を円心とする上、前記上クラッチ溝及び前記下クラッチ溝の前記上端円弧中心及び前記下端円弧中心を通過する円弧線であることを特徴とする請求項１に記載のクラッチを有する手動発電機。
【請求項３】
前記ギアボックス上蓋と前記ギアボックス下蓋との間には、第１のギア軸及び第２のギア軸が設けられ、前記数段の変速ギア対の各ギアは、前記第１のギア軸又は前記第２のギア軸にそれぞれ嵌合されることを特徴とする請求項１又は２に記載のクラッチを有する手動発電機。
【請求項４】
前記発電機の軸端には、フライングホイールが固定されることを特徴とする請求項１又は２に記載のクラッチを有する手動発電機。
【請求項５】
前記回転ハンドルは、横向ピンを介し、回転ハンドル台に回転可能に接続され、前記回転ハンドル台の前端には、挿入孔が設けられ、前記変速ギア対中の第１変速ギアの端面には、プラグが設けられ、前記回転ハンドル台は、前記挿入孔に前記プラグが挿入接続されることにより、前記第１変速ギアの軸と接続されることを特徴とする請求項１又は２に記載のクラッチを有する手動発電機。
【請求項６】
前記回転ハンドル台前端の挿入孔及び前記第１変速ギアのプラグは、六角形又は蝶形の構造であることを特徴とする請求項５記載のクラッチを有する手動発電機。
【請求項７】
前記発電機の出力端は、リチウム電池の電極と接続されることを特徴とする請求項１又は２に記載のクラッチを有する手動発電機。
【請求項８】
前記手動発電機は、小型の電気製品中に装着され、前記電気製品は、筐体を含み、前記回転ハンドル台は、前記筐体の軸孔を貫通し、前記回転ハンドルと接続され、前記回転ハンドル後端には、つまみが設けられ、前記筐体には、前記横向ピンを中心に回転させた前記回転ハンドルを前記つまみと共に係合するために用いられる凹溝が設けられることを特徴とする請求項５に記載のクラッチを有する手動発電機。
【考案の詳細な説明】
【技術分野】
【０００１】
本考案は、家電品に関し、特に、クラッチを有する手動発電機に関する。
【背景技術】
【０００２】
一般に、小型の家電品は、電池によって電力が供給される。しかし、電池を使用する場合、電池の電力を使い終わった際に電池を交換しなければならず、特に、旅行先、屋外などで新しい電池が手に入らない場合があるため、非常に不便である。そこで、手動発電機を有する懐中電灯など、手動発電機を利用して電力を供給する小型の家電品が市場に出現した。
しかし、手動発電機は、回転ハンドルと伝動部との間に有効なクラッチ装置が設けられていないため、発電機が正常に作動しない場合がある。即ち、発電機は、回転ハンドルの回転方向の違いにより、正回転又は逆回転する。正回転又は逆回転によって出力される電流の方向が異なるため、所定方向の電流しか使用できない電気製品には、適用されない。
【０００３】
例えば、特許文献１の「ハンディタイプの手動発電機」は、筐体、回転ハンドル、増速ギア機構、発電機を含む。回転ハンドルは、筐体外部に配置される。発電機は、固定子、回転子、電気ブラシ及び出力電極を含む。出力電極は、出力ケーブルと接続される。回転ハンドルは、増速ギア機構と接続される。増速ギア機構は、発電機中の回転子と接続される。特許文献１の特徴として、筐体外部の回転ハンドルが配置される位置の反対側には、把持ハンドルが設けられる。
【０００４】
把持ハンドルの端部には、回転軸が設けられる。把持ハンドルは、回転軸を介して筐体上に装着される。把持ハンドルは、回転軸を中心として正逆方向に３６０度回転する。また、増速ギア機構は、３段の増速構造から構成される。特許文献１の手動発電機は、回転ハンドルを回転軸を中心として正逆方向に３６０度回転させて発電するため、出力される電流の方向が一定ではない。そのため、ラジオ、ＬＥＤランプ、携帯電話など、電極極性が確定した電力を必要とする電気製品には、適用されない。
【先行技術文献】
【特許文献】
【０００５】
【特許文献１】中国実用新案第ＺＬ２００９２００５１２９９号
【考案の概要】
【考案が解決しようとする課題】
【０００６】
本考案の目的は、発電機の伝動部にクラッチが設けられることにより、発電機を一定方向のみに回転させることができ、これにより、従来の手動発電機における回転ハンドルと発電機の伝動部との間に、有効なクラッチ装置又は逆回転防止装置が設けられないために、発電機を一定方向のみに回転させられない欠点を解決することができる手動発電機を提供することにある。
【課題を解決するための手段】
【０００７】
上述の課題を解決するために、本考案のクラッチを有する手動発電機は、発電機、回転ハンドル、ギアボックス上蓋、ギアボックス下蓋及び伝動ギア群を含む。伝動ギア群は、数段の変速ギア対及び発電機ギアを含む。変速ギア対と発電機ギアとの中間には、クラッチギアが設けられる。クラッチギアの回転軸は、ギアボックス上蓋の上クラッチ溝とギアボックス下蓋の下クラッチ溝との間にスライド可能に配置される。上クラッチ溝及び下クラッチ溝は、構造が同一であり、対向配置される。上クラッチ溝及び下クラッチ溝の両端部は、何れも、円弧構造であり、円弧の半径は、回転軸の半径と等しい。変速ギア対の最終変速ギアと噛み合うと同時に、発電機ギアとも噛み合う状態におけるクラッチギアの中心部分の位置を上クラッチ溝及び下クラッチ溝の下端円弧中心とする。また、上クラッチ溝及び下クラッチ溝の上端円弧中心は、発電機ギアの中心を円心とし、発電機ギアの歯先円半径とクラッチギアの歯先円半径との和を半径とする円弧の外側に位置する。
【０００８】
クラッチギアの中心のスライド経路（即ち、上クラッチ溝及び下クラッチ溝の中心線）は、四辺形中に限定される。四辺形の四辺は、第１の円弧、第２の円弧、第３の円弧及び曲線部の４つの曲線によって形成される。第１の円弧は、最終変速ギアの中心を円心とし、最終変速ギアとクラッチギアとが噛み合わされた状態における最終変速ギアの中心から、クラッチギアの中心までの距離を半径とする曲線である。第２の円弧は、発電機ギアの中心を円心とし、発電機ギアとクラッチギアとが噛み合わされた状態における発電機ギアの中心から、クラッチギアの中心までの距離を半径とする曲線である。第３の円弧は、最終変速ギアの中心を円心とし、最終変速ギアとクラッチギアとが噛み合わされた状態における最終変速ギアの中心から、クラッチギアの中心までの距離に、歯の長さを加えた距離を半径とする曲線である。曲線部は、ギアボックス上蓋又はギアボックス下蓋の内側辺沿線から、所定の距離を隔てた曲線である。所定の距離は、クラッチギアの歯先円半径と等しい。
【０００９】
最終変速ギアが正方向に回転する場合、クラッチギアは、最終変速ギアと噛み合わされた状態を保持する。従って、クラッチギアは、最終変速ギアによって作動され、クラッチギアの回転軸が上クラッチ溝及び下クラッチ溝の上端から上クラッチ溝及び下クラッチ溝の下端にスライドする。この際、クラッチギアと最終変速ギアと発電機ギアとが同時に噛み合わされる。回転ハンドルからの回転が数段の変速ギア対によって加速された後、クラッチギアが発電機ギアを回転させ、発電機が発電する。回転ハンドルを逆回転させた場合、クラッチギアは、最終変速ギアによって作動され、クラッチギアの回転軸が上クラッチ溝及び下クラッチ溝の下端から、上クラッチ溝及び下クラッチ溝の上端にスライドする。
【００１０】
この際、クラッチギアと最終変速ギアとは、噛み合わされた状態が保持されるか、或いは、完全には離脱しない。また、クラッチギアは、発電機ギアからは完全に離脱するため、発電機が逆回転することがない。上クラッチ溝及び下クラッチ溝の上端円弧中心から、最終変速ギアの中心までの距離は、最終変速ギアの歯先円半径とクラッチギアの歯先円半径との和より短いため、クラッチギアと最終変速ギアとが完全に離脱して復帰がスムーズに行われなくなるのが防止される。
【００１１】
好ましくは、上クラッチ溝及び下クラッチ溝の中心線は、最終変速ギアの中心を円心とする上、上クラッチ溝及び下クラッチ溝の下端円弧中心及び上端円弧中心を通過する円弧線である。
【００１２】
好ましくは、ギアボックス上蓋とギアボックス下蓋との間には、第１のギア軸及び第２のギア軸が設けられる。数段の変速ギア対の各ギアは、第１のギア軸又は第２のギア軸にそれぞれ嵌合される。
【００１３】
好ましくは、発電機の軸端には、フライングホイールが固定される。フライングホイールは、エネルギー貯蔵部材であり、回転ハンドルが高速回転された場合に、回転速度が急激に高速になるのを抑制する作用と、動力エネルギーを慣性モーメントとして貯蔵し、回転ハンドルの回転速度が低下した際、貯蔵したエネルギーを放出し、回転速度が急激に低下するのを防止する作用と、を有する。また、フライングホイールは、発電機の回転速度を安定させる作用を有し、発電機から出力される電圧を安定させる。回転ハンドルの回転を停止した際、フライングホイール及び発電機ギアは、継続して回転するため、クラッチギアを同一方向に継続して回転させる。これにより、クラッチギアの歯は、最終変速ギアの歯に推力を加え、最終変速ギアの歯から反作用力を受けるため、クラッチギアの回転軸が上クラッチ溝及び下クラッチ溝の下端から上端にスライドする。これにより、クラッチギアは、発電機ギアから離脱する。この際、フライングホイールは、回転速度がゼロになるまで継続して回転するため、一定時間発電機を作動させ、発電させることができる。
【００１４】
好ましくは、回転ハンドルは、横向ピンを介し、回転ハンドル台に回転可能に接続される。回転ハンドル台の前端には、挿入孔が設けられる。変速ギア対中の第１変速ギアの端面には、プラグが設けられる。回転ハンドル台は、挿入孔にプラグが挿入接続されることにより、第１変速ギアの軸と接続される。
【００１５】
好ましくは、回転ハンドル台前端の挿入孔及び第１変速ギアのプラグは、六角形又は蝶形の構造である。
好ましくは、発電機の出力端は、リチウム電池の電極と接続される。
【００１６】
好ましくは、本考案の手動発電機は、小型の電気製品中に装着される。電気製品は、筐体を含み、回転ハンドル台は、電気製品の筐体の軸孔を貫通し、回転ハンドルと接続される。回転ハンドル後端には、つまみが設けられる。電気製品筐体には、横向ピンを中心に回転させた回転ハンドルをつまみと共に係合するために用いられる凹溝が設けられる。
【考案の効果】
【００１７】
１．回転ハンドルが時計方向の正回転する際、発電機は正常に発電し、回転ハンドルが反時計方向の逆回転した場合でも、発電機は自動的に逆回転しない。
２．構造がコンパクトであり、アイデアが独創的である。
【図面の簡単な説明】
【００１８】
【図１】本考案の一実施形態によるクラッチを有する手動発電機を示す分解斜視図である。
【図２】本考案の一実施形態によるクラッチを有する手動発電機のギアボックス下蓋を示す斜視図である。
【図３】本考案の一実施形態によるクラッチを有する手動発電機のギアボックス上蓋を示す斜視図である。
【図４】上クラッチ溝及び下クラッチ溝の中心線の位置領域を示す平面図である。
【図５】本考案の一実施形態によるクラッチを有する手動発電機が応用された電気製品を示す分解斜視図である。
【考案を実施するための形態】
【００１９】
本考案の目的、特徴および効果を示す実施形態を図面に沿って詳細に説明する。
図１〜図３を参照する。図１〜図３に示すように、本考案は、クラッチを有する手動発電機を提供するものである。本考案のクラッチを有する手動発電機は、発電機１、回転ハンドル２(図５)、ギアボックス上蓋３、ギアボックス下蓋４及び伝動ギア群を含む。伝動ギア群は、６段の変速ギア対５１及び発電機ギア５３を含む。変速ギア対５１と発電機ギア５３との中間には、クラッチギア５２が設けられる。クラッチギア５２の回転軸５２１は、ギアボックス上蓋３の上クラッチ溝３１とギアボックス下蓋４の下クラッチ溝４１との間にスライド可能に配置される。上クラッチ溝３１及び下クラッチ溝４１は、構造が同一であり、対向配置される。
【００２０】
上クラッチ溝３１及び下クラッチ溝４１の両端部は、何れも、円弧構造であり、円弧の半径は、回転軸５２１の半径と等しい。上クラッチ溝３１及び下クラッチ溝４１の下端円弧中心から変速ギア対５１の最終変速ギア５１２の中心までの距離は、最終変速ギア５１２とクラッチ歯車５２とが噛み合わされた状態における最終変速ギア５１２の中心からクラッチギア５２の中心までの距離と等しい。また、上クラッチ溝３１及び下クラッチ溝４１の下端円弧中心から発電機ギア５３の中心までの距離は、発電機ギア５３とクラッチギア５２とが噛み合わされた状態における発電機ギア５３の中心からクラッチギア５２の中心までの距離と等しい。
【００２１】
上クラッチ溝３１及び下クラッチ溝４１の上端円弧中心から最終変速ギア５１２の中心までの距離は、クラッチギア５２と最終変速ギア５１２とが噛み合わされた状態におけるクラッチギア５２の中心から最終変速ギア５１２の中心までの距離と等しい。また、上端円弧中心から発電機ギア５３の中心までの距離は、発電機ギア５３の歯先円半径とクラッチギア５２の歯先円半径との和と同一又は長い。
【００２２】
そして、クラッチギア５２は、概略、上クラッチ溝３１及び下クラッチ溝４１の上端と下端（図２）を最終変速ギア５１２によって移動するが、正確には図４の四辺形Ｓの四辺の周囲に沿って移動する。
上クラッチ溝３１及び下クラッチ溝４１の中心線は、最終変速ギア５１２の中心を円心とする上、上クラッチ溝３１及び下クラッチ溝４１の上端円弧中心及び下端円弧中心を通過する円弧線である。
【００２３】
クラッチギア５２を正常に作動させるために、クラッチギア５２の中心のスライド経路は、四辺形Ｓ中に限定される。図４の陰影部分に示すように、四辺形Ｓの四辺は、第１の円弧Ｓ１、第２の円弧Ｓ２、第３の円弧Ｓ３及び曲線部Ｓ４の４つの曲線によって形成される。
第１の円弧Ｓ１は、最終変速ギア５１２の中心を円心とし、最終変速ギア５１２とクラッチギア５２とが噛み合わされた状態における最終変速ギア５１２の中心から、クラッチギア５２の中心までの距離を半径とする曲線である。
第２の円弧Ｓ２は、発電機ギア５３の中心を円心とし、発電機ギア５３とクラッチギア５２とが噛み合わされた状態における発電機ギア５３の中心から、クラッチギア５２の中心までの距離を半径とする曲線である。
第３の円弧Ｓ３は、最終変速ギア５１２の中心を円心とし、最終変速ギア５１２とクラッチギア５２とが噛み合わされた状態における最終変速ギア５１２の中心から、クラッチギア５２の中心までの距離に、歯の長さを加えた距離を半径とする曲線である。
曲線部Ｓ４：ギアボックス上蓋３又はギアボックス下蓋４の内側辺沿線３３から、所定の距離を隔てた曲線である。所定の距離は、クラッチギア５２の歯先円半径と等しい。
【００２４】
クラッチギア５２が発電機ギア５３から有効に離脱できるようにするため、上クラッチ溝３１及び下クラッチ溝４１の上端円弧中心部分は、極限円弧５３１外側に位置する。極限円弧５３１は、発電機ギア５３の中心を円心とし、発電機ギア５３の歯先円半径とクラッチギア５２の歯先円半径の和を半径とする円弧である。
【００２５】
ギアボックス上蓋３とギアボックス下蓋４との間には、第１のギア軸３２及び第２のギア軸４２が設けられる。６段の変速ギア対５１の各ギアは、第１のギア軸３２又は第２のギア軸４２にそれぞれ嵌合される。第２のギア軸４２の軸線は、最終変速ギア５１２の中心線である。
【００２６】
クラッチギア５２は、回転ハンドル(把持ハンドル)２の回転方向と発電機１の回転方向とを調整するアイドルホイールとしての機能を兼ね備える。
【００２７】
発電機１の軸端には、フライングホイール１１が固定される。回転ハンドル２は、横向ピン２１を介し、回転ハンドル台２２に回転可能に接続される。回転ハンドル台２２の前端には、挿入孔２２１が設けられる。変速ギア対５１中の第１変速ギア５１１(図１参照)の端面には、プラグが設けられる。回転ハンドル台２２は、挿入孔２２１にプラグが挿入接続されることにより、第１変速ギア５１１の軸と接続される。第１変速ギア５１１は、第１のギア軸３２上に嵌合される。
【００２８】
回転ハンドル台２２前端の挿入孔２２１及び第１変速ギア５１１のプラグは、六角形又は蝶形の構造である。発電機１の出力端は、リチウム電池６の電極と接続される。
【００２９】
本考案の手動発電機は、小型の電気製品中に装着される。回転ハンドル台２２は、電気製品の筐体７の軸孔を貫通し、回転ハンドル２と接続される。回転ハンドル２後端には、つまみ２３が設けられる。電気製品筐体７には、横向ピン２１を中心に回転させた回転ハンドル(把持ハンドル)２をつまみ２３と共に係合するために用いられる凹溝７１が設けられる。
【００３０】
主に図１、２、４を参照して説明すると、最終変速ギア５１２が図４での時計方向の正方向に回転すると、クラッチギア５２は、最終変速ギア５１２の回転を受けて作動し、クラッチギア５２の回転軸５２１が最終変速ギア５１２の回転によって上クラッチ溝３１及び下クラッチ溝４１の下端(図２に示すように回転軸５２１が両クラッチ溝３１及び４１の手前側、図４で下側)までスライドする。すなわち、回転軸５２１は円弧Ｓ１に沿って円弧Ｓ２から円弧Ｓ３の接続点まで移動し、これと同時に、クラッチギア５２は、最終変速ギア５１２及び発電機ギア５３とが図４の実線円に示すように噛み合う。この際、回転ハンドル２を回転させると、６段の変速ギア対５１によって回転速度が加速され、クラッチギア５２が発電機ギア５３を回転させ、発電機１が発電する。
【００３１】
回転ハンドル２を図４での反時計方向の逆方向に回転させると、クラッチギア５２が最終変速ギア５１２によって作動され、クラッチギア５２の回転軸５２１が最終変速ギア５１２の回転によって上クラッチ溝３１及び下クラッチ溝４１の下端から離脱し、上クラッチ溝３１及び下クラッチ溝４１の上端(図２で回転軸５２１が両クラッチ溝３１及び４１の内側辺沿線３３側、図４で上側)までスライドする。すなわち、回転軸５２１は円弧Ｓ２の円弧３の接続点から円弧Ｓ３に沿って円弧Ｓ４と円弧Ｓ１の接続点まで移動し、クラッチギア５２が図４での上方向の点線円の位置に移動して発電機ギア５３から自動的に離脱するため、クラッチギア５２と発電機ギア５３が噛み合わず発電機１は逆回転しない。
なお、本実施例では時計方向を正回転、反時計方向を逆回転としたが、ラジオ、ＬＥＤランプ、携帯電話など、電極極性が確定している場合に発電機の極性が合致するように回転させれ良く、発電機に応じて時計方向を逆回転、反時計方向を正回転と設定しても良い。
【００３２】
図５を参照する。図５に示すように、本考案のクラッチを有する手動発電機が使用される電気製品は、懐中電灯を含む。懐中電灯のＬＥＤランプ８１は、電気製品の前端に固定される。ＬＥＤランプ８１の前端には、集光及び保護の為のカバー８２が装着される。ＬＥＤランプ８１は、発電機１によって充電されたリチウム電池６から電力が供給されて発光する。電気製品には、ラジオがさらに設けられる。ラジオのスピーカ９は、筐体７上に固定される。ラジオ及び懐中電灯は、１つの電源を共用する。懐中電灯及びラジオは、それぞれのスイッチ９１又は調整装置によって制御される。
【００３３】
本考案の構造は、コンパクトであり、発電機のクラッチの設計は、ユニーク且つ巧妙である。本考案は、小型の家電品に使用されることにより、利便性を提供することができる。当業者による本考案に対する若干の変更又は修飾は、本考案の実用新案登録請求の範囲に含まれる。即ち、本考案の主旨を逸脱しない範囲における変更又は修飾は、本考案の実用新案登録請求の範囲に含まれる。例えば、本実施例では時計方向を正回転、反時計方向を逆回転としたが、電極極性が確定している場合に発電機の極性が合致するように回転させれ良く、発電機に応じて時計方向を逆回転、反時計方向を正回転と設定しても良いことは勿論である。
【符号の説明】
【００３４】
１  発電機
１１  フライングホイール
２  回転ハンドル
２１  横向ピン
２２  回転ハンドル台
２２１  挿入孔
２３  つまみ
３  ギアボックス上蓋
３１  上クラッチ溝
３２  第１のギア軸
３３  内側辺沿線
４  ギアボックス下蓋
４１  下クラッチ溝
４２  第２のギア軸
５１  変速ギア対
５１１  第１変速ギア
５１２  最終変速ギア
５２  クラッチギア
５２１  回転軸
５３  発電機ギア
５３１  極限円弧
６  リチウム電池
７  筐体
７１  凹溝
８１  ＬＥＤランプ
８２  カバー
９  スピーカ
９１  スイッチ
Ｓ  四辺形
Ｓ１  第１の円弧
Ｓ２  第２の円弧
Ｓ３  第３の円弧
Ｓ４  曲線部
【図１】
0003177125.tif 000003
【図２】
0003177125.tif 000004
【図３】
0003177125.tif 000005
【図４】
0003177125.tif 000006
【図５】
0003177125.tif 000007